(57)【要約】【課題】フロアマットを簡単に係止でき、しかも、係止を容易に解くことができ、更に、係止効果が優れている、フロアマット用係止具を提供すること。【解決手段】自動車内のフロア２上に敷設されたフロアマット３がずれるのを防止するために、フロアマット３をフロア２に係止する、フロアマット用係止具１において、フロア２上に突出部１３によって固定される支持プレート１２と、支持プレート１２の表面から突出しており、フロアマット３の係止孔３１に通される、ポール１１と、からなっており、ポール１１の先端部１４は、係止孔３１より少し大きな外径を有しており、係止孔３１に通される際にはフック部１４１が閉じることによって上記外径が小さくなるよう縮小し、通された後にはフック部１４１が元に戻るようになっている。【選択図】　図４
2004017944.tif 000002
【特許請求の範囲】
【請求項１】
自動車内のフロア上に敷設されたフロアマットがずれるのを防止するために、フロアマットをフロアに係止する、フロアマット用係止具において、
フロア上に固定される支持プレートと、
支持プレートの表面から突出しており、フロアマットの係止孔に通される、ポールと、からなっており、
ポールの先端部は、係止孔より少し大きな外径を有しており、係止孔に通される際には上記外径が小さくなるよう縮小し、通された後には元に戻るようになっている、ことを特徴とするフロアマット用係止具。
【請求項２】
支持プレートの裏面から突出しており、且つ、フロアを貫通して支持プレートをフロアに固定する、突出部を、支持プレートが一体に有している、請求項１記載のフロアマット用係止具。
【請求項３】
ポールの先端部が、下開きのフック部を有しており、該フック部が閉じることによって縮小するようになっている、請求項１又は２に記載のフロアマット用係止具。
【請求項４】
ポールの先端部が、横方向に貫通した空間を有する環状部を有しており、該環状部が空間を狭めるよう変形することによって縮小するようになっている、請求項１又は２に記載のフロアマット用係止具。
【発明の詳細な説明】
【０００１】
【発明の属する技術分野】
本発明は、自動車内のフロア上に敷設されたフロアマットがずれるのを防止するために、フロアマットをフロアに係止する、フロアマット用係止具に関するものである。
【０００２】
【従来技術及びその課題】
自動車のフロアマットの係止具としては、例えば、実開昭６１−１１７０３６号公報、同６３−１４３３４号公報、同６３−１６０２３８号公報、実開平１−１６７９３４号公報、同５−２２１７４号公報、特開平１０−１２９３２６号公報、同１１−２３０１３４号公報などに記載のものが、知られている。
【０００３】
ところで、このようなフロアマット用係止具においては、係止効果や取扱い易さなどを向上させることが、常に要求されている。
【０００４】
本発明は、フロアマットを簡単に係止でき、しかも、係止を容易に解くことができ、更に、係止効果が優れている、フロアマット用係止具を提供することを目的とする。
【０００５】
【課題を解決するための手段】
請求項１記載の発明は、自動車内のフロア上に敷設されたフロアマットがずれるのを防止するために、フロアマットをフロアに係止する、フロアマット用係止具において、フロア上に固定される支持プレートと、支持プレートの表面から突出しており、フロアマットの係止孔に通される、ポールと、からなっており、ポールの先端部は、係止孔より少し大きな外径を有しており、係止孔に通される際には上記外径が小さくなるよう縮小し、通された後には元に戻るようになっている、ことを特徴としている。
【０００６】
請求項２記載の発明は、請求項１記載の発明において、支持プレートの裏面から突出しており、且つ、フロアを貫通して支持プレートをフロアに固定する、突出部を、支持プレートが一体に有しているものである。
【０００７】
請求項３記載の発明は、請求項１又は２に記載の発明において、ポールの先端部が、下開きのフック部を有しており、該フック部が閉じることによって縮小するようになっているものである。
【０００８】
請求項４記載の発明は、請求項１又は２に記載の発明において、ポールの先端部が、横方向に貫通した空間を有する環状部を有しており、該環状部が空間を狭めるよう変形することによって縮小するようになっているものである。
【０００９】
【発明の実施の形態】
（実施形態１）
図１は本実施形態のフロアマット用係止具１にフロアマット３を係止させる直前状態を示す斜視図である。フロアマット用係止具１は、自動車内のフロア２に固定されている。フロア２は、平坦部２１の後部に凸部２２を有しており、係止具１は凸部２２から平坦部２１にかけて設置されている。凸部２２は、フロア２の下方をシャーシ（図示せず）が横方向に通っているために、できている。フロアマット３は、係止孔３１を有しており、一点鎖線に示すように、係止孔３１に係止具１のポール１１を裏面側から差し込んだ状態で、平坦部２１上に敷設される。４は座席である。
【００１０】
図２は図１の係止具１の側面図、図３は図２のＩＩＩ矢視図である。係止具１は、樹脂でできた一体成形物であり、ポール１１と、支持プレート１２と、突出部１３とからなっている。ポール１１は、先端部１４と基端部１５とからなっている。支持プレート１２は、第１平面部１２１、立上り部１２２、傾斜部１２３、及び、第２平面部１２４からなっている。第１平面部１２１は、フロア２の平坦部２１に当接する部分であり、立上り部１２２、傾斜部１２３、及び、第２平面部１２４は、凸部２２に当接する部分である。支持プレート１２の表面には、長手方向に延びた直立リブ１２５が形成されており、支持プレート１２全体の強度を向上させている。
【００１１】
図４は、図１のＩＶ−ＩＶ断面に相当する図であり、係止具１が、フロア２上に固定され且つフロアマット３を係止した状態を示す断面図である。突出部１３は、第２平面部１２４の裏面から下方に突出しており、表面に、ツリー状に展開形成された突起１３１（図２）を有している。係止具１は、突出部１３を凸部２２に貫通させることにより、フロア２に固定されている。突出部１３は、突起１３１を有しているため、凸部２２から抜けにくくなっており、従って、支持プレート１２はフロア２に強固に固定されている。
【００１２】
図５は図４の係止部分の拡大断面図である。ポール１１は、略円柱体であるが、その先端部１４は、柱部１４０とフック部１４１とを有している。先端部１４の外径Ｄ１と基端部１５の外径Ｄ２とは、Ｄ１＞Ｄ２の関係である。フック部１４１は下開きに形成されており、空間１４２は横方向（図５では紙面の表裏方向）に貫通している。先端部１４は、外力によってフック部１４１が矢印方向に閉じることにより、外径がＤ１より小さくなるよう、縮小するようになっており、外力が解かれると、フック部１４１が元に戻るようになっている。
【００１３】
一方、係止孔３１は、リング体３２の内部の貫通孔として構成されている。リング体３２は、フロアマット３を貫通し、その周縁部３２１でフロアマット３を上下から把持している。係止孔３１は内径Ｄ３を有している。Ｄ１、Ｄ２、及びＤ３の関係は、Ｄ１＞Ｄ３≧Ｄ２に設定されている。
【００１４】
図６に示すように、ポール１１に対して係止孔３１を上から矢印方向に押し付けると、ポール１１の先端部１４が縮小する。即ち、先端部１４は、フック部１４１が閉じることによって、外径がＤ３まで小さくなる。これによって、ポール１１の先端部１４は係止孔３１を通る。係止孔３１を通ったポール１１の先端部１４は、フック部１４１が元に戻ることにより、外径がＤ１となり、即ち、図５の状態となる。
【００１５】
ポール１１の先端部１４は、両側に曲部１４３，１４４を有している。外径Ｄ１は、両曲部１４３，１４４間の距離である。一方、係止孔３１の上縁には傾斜部３１１が形成されている。ポール１１の先端部１４が係止孔３１を通り、フック部１４１が元に戻ると、両曲部１４３，１４４と傾斜部３１１とが対向した状態となる。それ故、フロアマット３に上向きの力が働いても、両曲部１４３，１４４が傾斜部３１１に係合することとなるため、フロアマット３がポール１１から抜けるのが防止される。従って、ポール１１の先端部１４を係止孔３１に通すことにより、フロアマット３が係止具１に係止される。
【００１６】
以上のように、上記構成の係止具１によれば、ポール１１に対して係止孔３１を上から押し付けるだけで、フロアマット３を係止具１に係止できる。従って、係止作業が簡単である。また、フック部１４１を両側から摘むなどして閉じ、その状態で係止孔３１を上方へ引き上げれば、係止孔３１即ちフロアマット３を係止具１から取り外すことができる。従って、係止を解く作業が簡単である。更に、係止孔３１を通った先端部１４は、その両端部即ち両曲部１４３，１４４が係止孔３１の上縁即ち傾斜部３１１に係合し得る状態となるので、フロアマット３がポール１１から抜けるのを防止できる。従って、優れた係止効果を発揮できる。
【００１７】
（実施形態２）
本実施形態の係止具１は、ポール１１の構造が実施形態１とは異なり、その他は同じである。図７はポール１１を示す側面図であり、図２の一部拡大図に相当する図である。図８は図７のＶＩＩＩ矢視図である。図９は図５に相当する図であり、係止部分の拡大断面図である。このポール１１は、横方向（図７では紙面の表裏方向）に貫通した空間１４５を有する環状部１４６からなる先端部１４と、横方向に貫通した空間１４７を有する基端部１５と、からなっている。ここでは、両空間１４５，１４７が連通しているので、環状部１４６はその両側にて基端部１５に連続している。なお、空間１４７は無くてもよく、その場合は、基端部１５が強固になる。先端部１４は外径Ｄ４を有し、基端部１５は外径Ｄ５を有しており、係止孔３１の内径Ｄ３との関係は、Ｄ４＞Ｄ３≧Ｄ５に設定されている。先端部１４は、外力によって、環状部１４６が空間１４５を狭めるよう矢印方向（図９）に変形することにより、外径がＤ４より小さくなるよう、縮小するようになっており、外力が解かれると、環状部１４６が元に戻るようになっている。
【００１８】
図１０に示すように、ポール１１に対して係止孔３１を上から矢印方向に押し付けると、ポール１１の先端部１４が縮小する。即ち、先端部１４は、環状部１４６が空間１４５を狭めるよう変形することによって、外径がＤ３まで小さくなる。これによって、ポール１１の先端部１４は係止孔３１を通る。係止孔３１を通ったポール１１の先端部１４は、環状部１４６が元に戻ることにより、外径がＤ４となる。
【００１９】
ポール１１の先端部１４は、両側に曲部１４８，１４９を有している。外径Ｄ４は、両曲部１４８，１４９間の距離である。ポール１１の先端部１４が係止孔３１を通り、環状部１４６が元に戻ると、両曲部１４８，１４９と傾斜部３１１とが対向した状態となる。それ故、フロアマット３に上向きの力が働いても、両曲部１４８，１４９が傾斜部３１１に係合することとなるため、フロアマット３がポール１１から抜けるのが防止される。従って、ポール１１の先端部１４を係止孔３１に通すことにより、フロアマット３が係止具１に係止される。
【００２０】
以上のように、上記構成の係止具１によれば、ポール１１に対して係止孔３１を上から押し付けるだけで、フロアマット３を係止具１に係止できる。従って、係止作業が簡単である。また、環状部１４６を両側から摘むなどして閉じ、その状態で係止孔３１を上方へ引き上げれば、係止孔３１即ちフロアマット３を係止具１から取り外すことができる。従って、係止を解く作業が簡単である。更に、係止孔３１を通った先端部１４は、その両端部即ち両曲部１４８，１４９が係止孔３１の上縁即ち傾斜部３１１に係合し得る状態となるので、フロアマット３がポール１１から抜けるのを防止できる。従って、優れた係止効果を発揮できる。
【００２１】
（別の実施形態）
（１）突出部１３を支持プレート１２とは別体としてもよい。従って、支持プレート１２に、ねじ孔などの貫通孔を形成しておき、該貫通孔に、頭付ねじなどの別体の突出部１３を挿入させることにより、支持プレート１２をフロア２に固定するようにしてもよい。
【００２２】
（２）支持プレート１２は、平面部のみからなるものでもよい。従って、係止具１をフロア２の平坦部２１のみに設置してもよい。
【００２３】
（３）ポール１１の先端部１４は、係止孔３１より少し大きな外径を有しており、係止孔３１に通される際には上記外径が小さくなるよう縮小し、通された後には元に戻るようになっている構造のものであれば、上記のものに限らない。
【００２４】
【発明の効果】
請求項１記載の発明によれば、次の効果を発揮できる。
（１）ポールに対して係止孔を上から押し付けるだけで、フロアマットを係止具に係止できる。従って、係止作業を簡単に行うことができる。
【００２５】
（２）先端部を両側から摘むなどして縮小させ、その状態で係止孔を上方へ引き上げれば、フロアマットを係止具から取り外すことができる。従って、係止を解く作業を簡単に行うことができる。
【００２６】
（３）先端部が係止孔より少し大きな外径を有しているので、係止孔を通った先端部は、その両端部が係止孔の上縁に係合し得る状態となる。従って、フロアマットがポールから抜けるのを防止でき、優れた係止効果を発揮できる。
【００２７】
請求項２記載の発明によれば、突出部が支持プレートと一体であるので、支持プレートの固定作業を簡単に行うことができる。また、係止具の取扱いが簡単である。
【００２８】
請求項３又は４に記載の発明によれば、請求項１記載の発明の効果を確実且つ効果的に発揮できる。
【図面の簡単な説明】
【図１】実施形態１のフロアマット用係止具にフロアマットを係止させる直前状態を示す斜視図である。
【図２】図１の係止具の側面図である。
【図３】図２のＩＩＩ矢視図である。
【図４】図１のＩＶ−ＩＶ断面に相当する図である。
【図５】図４の係止部分の拡大断面図である。
【図６】実施形態１における係止作業の途中の状態を示す拡大断面図である。
【図７】実施形態２の係止具のポールを示す側面図である。
【図８】図７のＶＩＩＩ矢視図である。
【図９】実施形態２における係止部分の拡大断面図である。
【図１０】実施形態２における係止作業の途中の状態を示す拡大断面図である。
【符号の説明】
１　係止具
１１　ポール
１２　支持プレート
１３　突出部
１４　先端部
１４１　フック部
１４５　空間
１４６　環状部
２　フロア
３　フロアマット
【図１】
2004017944.tif 000003
【図２】
2004017944.tif 000004
【図３】
2004017944.tif 000005
【図４】
2004017944.tif 000006
【図５】
2004017944.tif 000007
【図６】
2004017944.tif 000008
【図７】
2004017944.tif 000009
【図８】
2004017944.tif 000010
【図９】
2004017944.tif 000011
【図１０】
2004017944.tif 000012